(57)【要約】【課題】  簡単な操作で、容易に糞を採取して処理することが可能な、犬の糞取り用具を提供する。【解決手段】  柄２の基端２ｂからの操作材４の基端４ｂの突出量が大きいと、捕集袋３は閉じる。柄２の基端２ｂからの操作材４の基端４ｂの突出量が小さいと、捕集袋３は開く。このような開閉操作は、柄２の基端２ｂを散歩の随伴者が片手で保持している状態から、柄２の基２ｂ端から突出する操作材４の基端４ｂを身体で押えながら、柄２を引寄せるような片手の操作で行うことができる。捕集袋３を開いた状態で留めるために、係止部材９が設けられる。係止部材９の係止爪９ａは、操作材４に取付ける係止環４ｃを係止することができる。この係止状態を解除するために、操作材４には解除部材１０も設けられる。解除部材１０は、図の左方に移動させて、係止爪９ａを係止環４ｃから外すことができる。【選択図】図１
2014042496.tif 000002
【特許請求の範囲】
【請求項１】
柄の先端に設ける捕集袋の開口部を開閉可能にしておき、犬が糞を排泄する際に、捕集袋の開口部を開いて捕集袋内に糞を受けることが可能な犬の糞取り用具において、
柄は筒体であり、
柄の筒体内部に挿通され、柄の長手方向に対して相対移動可能で、基端が柄の基端から突出し、突出量の変化で、柄の長手方向に対して相対移動する操作が可能な操作材と、
基端側が柄または操作材の一方の先端に接続され、先端側が柄の長手方向の延長上で閉じ、先端側と基端側との間で、捕集袋の開口部周縁を保持し、先端側と基端側とを接近させると、先端側と基端側の中間部が柄の長手方向の延長に対して垂直な幅方向へ拡張して、捕集袋の開口部を開くことが可能な一対の弾性材と、
柄または操作材の他方の先端に装着される基端部と、柄の長手方向の延長上で、一対の弾性材の先端側と結合される先端部とを有し、一対の弾性材の基端と先端との間の注油幹部が幅方向に拡張して、捕集袋の開口部が開く状態で、捕集袋の開口部を幅方向の両側から規制する外枠とを含む、
ことを特徴とする犬の糞取り用具。
【請求項２】
前記捕集袋を内側に収容する外袋であって、
前記一対の弾性材によって、捕集袋の開口部の開閉と同時に開閉される開口部を有する外袋を、
さらに含むことを特徴とする請求項１記載の犬の糞取り用具。
【請求項３】
前記操作材を、前記柄の長手方向の一方に付勢するばねと、
操作材を、柄の長手方向の他方に操作した状態で係止する係止部材と、
柄の基端側に設けられ、係止部材による操作材の係止を解除する操作が可能な解除部材とを、
さらに含むことを特徴とする請求項１または２記載の犬の糞取り用具。
【発明の詳細な説明】
【技術分野】
【０００１】
本発明は、犬の散歩などの際に携行して、犬が排泄する糞を、周囲に漏らさずに採取可能な犬の糞取り用具に関する。
【背景技術】
【０００２】
従来から、犬の散歩などの際には、犬が排泄する糞を採取して捕集し、持帰って処理する用意をしておく必要がある。現状では、路上などに排泄された糞を、小さなショベルなどで採取し、袋に入れて持帰る方法が多く行われている。しかしながら、このような方法では、排便場所が汚れてしまう。路上などの公共の地面を汚さないようにするためには、排便後の洗浄用に、多量の水も用意しておく必要がある。また、排便場所によっては、水などで洗浄することができないこともある。
【０００３】
犬が糞を排泄する際には、尻を下げつつも地面からは浮かすような独特の姿勢となるので、慣れていれば、尻の下に紙などを敷いて、その上に糞をさせるように準備することも不可能ではない。このような方法によれば、排便場所を汚すことを防ぐことができるけれども、立って歩行していた散歩の随伴者は、しゃがんだり膝を曲げたりして準備する動作をすばやく行う必要がある。随伴者が老人であれば、準備動作のための姿勢の変化が困難となる。柄の先に捕集容器を取付けた柄杓状の用具を用いれば、しゃがむ必要はなく、捕集容器に糞を受けることができる。
【０００４】
これらの方法で、排便場所を汚さずに糞を採取することができても、採取した糞を持帰って処理するためには、袋などに移す必要がある。そこで、柄の先に捕集袋を取付け、開口部を開閉可能にして、捕集袋で採取した糞をそのまま持帰ることができるようにした犬の糞取り用具として、犬の糞取り器（特許文献１参照）や、犬の糞受具（特許文献２参照）が発明されている。
【先行技術文献】
【特許文献】
【０００５】
【特許文献１】特許第２９２２４２２号公報
【特許文献２】特許第３０２７３２７号公報
【発明の概要】
【発明が解決しようとする課題】
【０００６】
犬の散歩では、排泄される糞をどのように処理するかが課題となる。その課題は、次のように分けることができる。
（１） 排便処理の手間がかからないようにする。
（２） 排便時に、道路面や地面などの排便場所を汚さない。
（３） 採取した糞の処理を容易にする。
（４） 排便時に、周囲への臭気漏れや視野を遮断して、周囲に不快感を与えないように配慮する。
【０００７】
特許文献１や特許文献２の犬の糞取り用具は、柄の先端に設ける捕集袋の開口部を開閉可能にしておき、犬が糞を排泄する際に、捕集袋の開口部を開いて捕集袋内に糞を受けることが可能なので、これらの課題の解決が期待される。
【０００８】
しかしながら、特に（１）の課題の解決は不十分であると考えられる。たとえば、特許文献１の犬の糞取り器では、柄の基端に設ける把手を握る操作で、捕集袋の開口部を開閉する操作を行うので、操作のストロークを大きくとることができない。また、把手を握るので、柄の長手方向に垂直な方向に握ることになり、犬の糞取り時には、柄が傾斜した状態で把手を握って支えなければならず、特に片手では、操作の負担が大きくなってしまう。さらに、捕集袋の開口部の周縁を保持して開閉する骨枠に、開いた状態で、周囲から外力が直接かかるので、外力に抗し得る強度をもたせなければならず、開閉操作の負荷が大きくなってしまう。特許文献２の犬の糞受具では、捕集袋を開閉するために、柄の長手方向に対して回転する操作を行う必要があり、犬が急に便意を示すような緊急時に、簡単な片手の操作で対応することが困難であると推定される。
【０００９】
本発明の目的は、簡単な操作で、片手でも容易に糞を採取して処理する操作が可能な、犬の糞取り用具を提供することである。
【課題を解決するための手段】
【００１０】
本発明は、柄の先端に設ける捕集袋の開口部を開閉可能にしておき、犬が糞を排泄する際に、捕集袋の開口部を開いて捕集袋内に糞を受けることが可能な犬の糞取り用具において、
柄は筒体であり、
柄の筒体内部に挿通され、柄の長手方向に対して相対移動可能で、基端が柄の基端から突出し、突出量の変化で、柄の長手方向に対して相対移動する操作が可能な操作材と、
基端側が柄または操作材の一方の先端に接続され、先端側が柄の長手方向の延長上で閉じ、先端側と基端側との間で、捕集袋の開口部周縁を保持し、先端側と基端側とを接近させると、先端側と基端側の中間部が柄の長手方向の延長に対して垂直な幅方向へ拡張して、捕集袋の開口部を開くことが可能な一対の弾性材と、
柄または操作材の他方の先端に装着される基端部と、柄の長手方向の延長上で、一対の弾性材の先端側と結合される先端部とを有し、一対の弾性材の基端と先端との間の中間部が幅方向に拡張して、捕集袋の開口部が開く状態で、捕集袋の開口部を幅方向の両側から規制する外枠とを含む、
ことを特徴とする犬の糞取り用具である。
【００１１】
また本発明は、
前記捕集袋を内側に収容する外袋であって、
前記一対の弾性材によって、捕集袋の開口部の開閉と同時に開閉される開口部を有する外袋を、
さらに含むことを特徴とする。
【００１２】
また本発明は、
前記操作材と、前記柄の長手方向の一方に付勢するばねと、
操作材を、柄の長手方向の他方に操作した状態で係止する係止部材と、
柄の基端側に設けられ、係止部材による操作材の係止を解除する操作が可能な解除部材とを、
さらに含むことを特徴とする。
【発明の効果】
【００１３】
本発明によれば、柄を片手で保持し、柄の基端から突出する操作材の基端を身体で押えながら、柄を引寄せるような片手の操作で、柄の先端に設ける捕集袋の開口部を開閉する操作を行うことができる。外枠と一対の弾性材とで捕集袋の荷重を支えることができるので、一対の弾性材は開口部の周縁部を開閉するに必要な強度を有していればよく、開閉に必要な力を小さくすることができる。保持する一対の弾性材の強度は開閉に必要な程度でよいので、散歩に伴う犬が、急に便意を示すような場合でも、散歩の随伴者は、簡単な操作で、容易に糞を採取して処理することが可能となる。
【００１４】
また本発明によれば、外袋で捕集袋を保護したり、周囲の視界から遮って、糞の捕集を連想させないようにすることができるばかりではなく、外袋のデザインでファッション性を持たせることもできる。
【００１５】
また本発明によれば、捕集袋の開口部の開閉状態を、一方はばねによる付勢で、他方は係止部材による係止で維持することができ、操作の手間を軽減することができる。
【図面の簡単な説明】
【００１６】
【図１】図１は、本発明の一実施例としての犬の糞取り用具１での捕集袋３の開閉状態を示す平面図である。
【図２】図２は、図１の犬の糞取り用具１での開閉のための機構を示す部分的な平面図である。
【図３】図３は、図１の犬の糞取り用具１に、開口部３ａが閉じた状態で装着されている捕集袋３を示す部分的な平面図、正面図および側面断面図である。
【図４】図４は、図１の犬の糞取り用具１で、柄２への操作材４の挿入状態を示す部分的な平面図および正面断面図と、外枠５の先端部６ａから見た簡略化した左側面図である。
【図５】図５は、図１の犬の糞取り用具１の使用状態を概略的に示す図である。
【発明を実施するための形態】
【００１７】
以下、図１〜図４で本発明の一実施例としての犬の糞取り用具１の構成を示し、図５でその使用状態の一例を示す。説明の便宜上、説明対象の図には記載されていない部分について、他の図に記載される参照符を付して言及する場合がある。
【実施例】
【００１８】
図１は、本発明の一実施例としての犬の糞取り用具１の概略的な構成を示す。犬の糞取り用具１は、柄２の先端２ａに設ける捕集袋３の開口部を開閉可能にしておき、犬が糞を排泄する際に、捕集袋３の開口部を開いて捕集袋３内に糞を受けることが可能である。柄２は筒体であり、柄２の筒体内部には操作材４が挿通される。操作材４は、柄２に対して、先端２ａと基端２ｂとを通る長手方向２ｃに、相対移動可能である。操作材４の先端４ａに捕集袋３が装着される。操作材４の基端４ｂは、柄２の基端２ｂから突出し、突出量の変化で、柄２の長手方向２ｃに対して相対移動する操作が可能である。
【００１９】
操作材４の先端４ａには、一対の弾性材５が接続される。柄２の先端２ａには、外枠６が接続される。柄２の長手方向２ｃの延長上で、一対の弾性材５の先端と外枠６の先端とは、石突き７で結合される。
【００２０】
図１（ａ）に示すように、柄２の基端２ｂからの操作材４の基端４ｂの突出量が大きいと、捕集袋３は閉じる。図１（ｂ）に示すように、柄２の基端２ｂからの操作材４の基端４ｂの突出量が小さいと、捕集袋３は開く。一対の弾性材５は、外力が加わらない状態で、図１（ａ）に示すように、相互間が閉じる。操作材４の基端４ｂの突出量を小さくすると、一対の弾性材５の中間が変形して膨らみ、捕集袋３は開く。引張りばね８を設けて、一対の弾性材５が閉じる方向に付勢することもできる。操作材４の基端４ｂの突出量を小さくする操作は、弾性材５または引張りばね８の付勢に抗することになるので、捕集袋３を開いたら、その状態で留めるために、柄２に基端２ｂには係止部材９が設けられる。係止部材９の係止爪９ａは、操作材４に取付ける係止環４ｃを係止することができる。この係止状態を解除するために、操作材４には解除部材１０も設けられる。解除部材１０は、図の左方に移動させて、係止爪９ａを係止環４ｃから外すことができる。柄２の先端２ａには、外枠６を固定する外枠固定部材１１が取付けられ、操作材４の先端４ａには、一対の弾性材５を保持する弾性材保持部材１２が取付けられる。
【００２１】
図２は、図１の犬の糞取り用具１での開閉のための機構を示す。一対の弾性材５は、先端５ａ側が柄２の長手方向２ｃの延長上で閉じ、先端５ａ側と基端５ｂ側との間の中間部５ｃで、捕集袋３の開口部周縁を保持する。一対の弾性材５の基端５ｂは、弾性材保持部材１２で保持される。図２（ａ）は、一対の弾性材５が閉じている状態を示す。一対の弾性材５の先端５ａ側と基端５ｂ側とを接近させると、図２（ｂ）に示すように、先端５ａ側と基端５ｂ側の中間部５ｃが柄２の長手方向２ｃの延長に対して垂直な幅方向へ拡張して、捕集袋の開口部を開くことが可能となる。一対の弾性材５の先端５ａは、石突き７で、外枠６の先端部６ａに結合される。弾性材５は、金属やプラスチックで形成される。
【００２２】
外枠６は、基端部６ｂが柄２の先端２ａに装着され、図１に示される外枠固定部材１１に固定され、一対の弾性材５の基端５ｂと先端５ａとの間の中間部５ｃが幅方向に拡張して、捕集袋３の開口部が開く状態で、捕集袋３の開口部を幅方向の両側から規制する規制部６ｃを含む。外枠６は、金属の線材を曲げて形成される。外枠６の形状は、一対の弾性材５が開く状態の形状に合わせることが好ましい。また、捕集袋３の開口部を確実に開かせるためには、図２（ａ）に示すような閉状態でも、一対の弾性材５の中間部５ｃがわずかに開くように少し曲げておいたり、中間部５ｃの対向する部分に突起を付けておけばよいけれども、捕集袋３の開口部が挟まれているだけでも、中間部５ｃは少し曲る状態となる。
【００２３】
図３は、図１の犬の糞取り用具１に、開口部３ａが閉じた状態で装着されている捕集袋３を示す。図３（ａ）は平面視、図３（ｂ）は正面視、図３（ｃ）は図３（ｂ）の切断面線Ｃ−Ｃから見た側面断面の拡大視を、それぞれ示す。捕集袋３は、開口部３ａが閉じた状態で、一対の弾性材５の中間部５ｃ間に挟まれる。開口部３ａの周縁３ｂは、一対の弾性材５の上部を越えて、外側で下方に折返される。本実施例では、捕集袋３を内側に収容する外袋１３であって、一対の弾性材５によって、捕集袋３の開口部３ａの開閉と同時に開閉される開口部を有する外袋１３をさらに含む。外袋１３は、一対の弾性体５の内側に固定される。固定は、接着や容着で接合したり、糸で縫付けたりして行うことができる。ボタンやファスナーで、着脱可能に取付けることもできる。一対の弾性材５の外側に折返された捕集袋３の周縁３ｂは、ゴム帯１４などで一対の弾性材５に押しつけられて固定される。固定には、ファスナーなどを用いることができる。一対の弾性材５が鉄などの強磁性体であれば、固定にゴム磁石などを用いることもできる。
【００２４】
捕集袋３は容易に交換可能であるので、糞を採取したら交換すればよい。ただし、捕集袋３は、外袋１３で補強されているので、糞を採取した状態でも弾性材５に装着しておくこともでき、糞の排泄が続けて行われるような場合にも、そのまま処理することができる。外袋１３は、外枠６に取付けて、常に開いておくこともできる。
【００２５】
外袋１３の上部には、一対の弾性材５の下縁に沿って、複数の磁石１５を設けておくことが好ましい。外袋１３の両側方の対応する位置に磁石１５を設けておけば、図３（ｃ）に示すように、捕集袋３の閉状態で、磁石１５が相互に吸着し、開口部３ａを密閉に近い状態で閉じることができる。磁石１５としてゴム磁石やプラスチック磁石を用い、吸着力を適度に与えれば、閉状態では密着し、開口部３ａを開く際には、吸着状態が外れて、一対の弾性剤５の中間部５ｃとともに、磁石１５間も離れるようにすることができる。
【００２６】
図４は、図１の犬の糞取り用具１で、柄２への操作材４の挿入状態を示す。図４（ａ）および図４（ｂ）に示すように、柄２と操作材４とには、少なくとも一箇所に、長手方向２ｃまわりの角度がずれないようにする機構を設ける。たとえば、柄２にピン１６を取付け、操作材４で柄２に挿入される部分に案内溝４ｄを形成しておく。ピン１６の先端を案内溝４ｄに嵌合させておくことによって、図４（ｃ）に示すように、外枠６に対して、その垂直線６ａと、一対の弾性材５の板面とを平行に保つことができ、弾性材５を外枠６の平面内で開閉させることができる。
【００２７】
図５は、図１の犬の糞取り用具１の使用状態を概略的に示す。犬２０の飼主などの随伴者３０は、犬が糞を排泄するような挙動を示すと、犬の糞取り用具１を、捕集袋３を開く状態で、犬２０の尻の下方に挿入する。排泄時以外は、犬の糞取り用具１を、捕集袋３が閉じている状態で、柄２を片手で持って保持することができる。外袋１３を用いれば、捕集袋３を周囲の視界から遮って、糞の捕集を連想させないようにすることができ、外袋のデザインでファッション性を持たせることもできる。
【００２８】
図５に示すように、柄２を随伴者３０が片手で保持し、柄２の基端２ｂから突出する操作材４の基端４ｂを身体で押えながら、柄２を引寄せるような片手の操作で、柄２の先端２ａに設ける捕集袋３の開口部を開閉する操作を行うことができる。外枠６と一対の弾性材５とで捕集袋３の荷重を支えることができるので、一対の弾性材５は開口部の周縁部を開閉するに必要な強度を有していればよく、開閉に必要な力を小さくすることができる。保持する一対の弾性材５の強度は開閉に必要な程度でよいので、散歩に伴う犬２０が、急に便意を示すような場合でも、散歩の随伴者３０は、簡単な操作で、容易に糞を採取して処理することが可能となる。
【００２９】
以上で説明した実施例では、外枠６の基端部６ｂを柄２の先端２ａ、一対の弾性材５の基端５ｂを操作材４の先端４ａにそれぞれ接続しているけれども、外枠６の基端部６ｂを操作材４の先端４ａ、一対の弾性材５の基端５ｂを柄２の先端２ａにそれぞれ接続してもよい。この場合、操作材４の基端４ｂの突出量が大きくなると断裁材５の中間部５ｃが開き、突出量が小さくなると中間部５ｃが閉じる。
【００３０】
また、実施例では、一対の弾性材５自体、または引張りばね８による付勢を、中間部５ｃが閉じる方向に行っているけれども、引張りばね８を圧縮ばねに替えて、中間部５ｃが開く方向に付勢し、閉じる状態で係止しておくようにしてもよい。係止を解除すれば、ばね付勢で捕集袋３の開口部を開くことができる。
【符号の説明】
【００３１】
１  犬の糞取り具
２  柄
３  捕集袋
４  操作材
５  一対の弾性材
６  外枠
９  係止部材
１０  解除部材
１３  外袋
２０  犬
３０  随伴者
【図１】
2014042496.tif 000003
【図２】
2014042496.tif 000004
【図３】
2014042496.tif 000005
【図４】
2014042496.tif 000006
【図５】
2014042496.tif 000007
【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
柄の先端に設ける捕集袋の開口部を開閉可能にしておき、犬が糞を排泄する際に、捕集袋の開口部を開いて捕集袋内に糞を受けることが可能な犬の糞取り用具において、
柄は筒体であり、
柄の筒体内部に挿通され、柄の長手方向に対して相対移動可能で、基端が柄の基端から突出し、突出量の変化で、柄の長手方向に対して相対移動する操作が可能な操作材と、
基端側が操作材の先端に接続され、先端側が柄の長手方向の延長上で閉じ、先端側と基端側との間で、捕集袋の開口部周縁を保持し、先端側と基端側とを接近させると、先端側と基端側の中間部が柄の長手方向の延長に対して垂直な幅方向へ拡張して、捕集袋の開口部を開き、先端側と基端側とを離反させると捕集袋の開口部を閉じることが可能な一対の弾性材と、
柄の先端に装着される基端部と、柄の長手方向の延長上で、一対の弾性材の先端側と結合される先端部とを有し、一対の弾性材の基端と先端との間の中間部が幅方向に拡張して、捕集袋の開口部が開く状態で、捕集袋の開口部を幅方向の両側から規制するように、一対の弾性材が開く状態の形状に合う曲線形状を有する先端側部分、および一対の弾性材が閉じる状態で基端側に延びる部分を収容する直線形状を有する基端側部分を有する外枠と、
捕集袋を内側に収容する外袋であって、一対の弾性材によって、捕集袋の開口部の開閉と同時に開閉される開口部を有する外袋とを含む、
ことを特徴とする犬の糞取り用具。
【請求項２】
前記操作材を、前記柄の長手方向の基端側に付勢するばねと、
操作材を、柄の長手方向の先端側に操作した状態で係止する係止部材と、
柄の基端側に設けられ、係止部材による操作材の係止を解除する操作が可能な解除部材とを、
さらに含むことを特徴とする請求項１記載の犬の糞取り用具。
【請求項３】
前記外袋の両側方の上部で、一対の弾性材の下縁に沿って対応する位置に設けられる複数の磁石を、
さらに含むことを特徴とする請求項１または２記載の犬の糞取り用具。
【手続補正２】
【補正対象書類名】明細書
【補正対象項目名】００１０
【補正方法】変更
【補正の内容】
【００１０】
本発明は柄の先端に設ける捕集袋の開口部を開閉可能にしておき、犬が糞を排泄する際に、捕集袋の開口部を開いて捕集袋内に糞を受けることが可能な犬の糞取り用具において、
柄は筒体であり、
柄の筒体内部に挿通され、柄の長手方向に対して相対移動可能で、基端が柄の基端から突出し、突出量の変化で、柄の長手方向に対して相対移動する操作が可能な操作材と、
基端側が操作材の先端に接続され、先端側が柄の長手方向の延長上で閉じ、先端側と基端側との間で、捕集袋の開口部周縁を保持し、先端側と基端側とを接近させると、先端側と基端側の中間部が柄の長手方向の延長に対して垂直な幅方向へ拡張して、捕集袋の開口部を開き、先端側と基端側とを離反させると捕集袋の開口部を閉じることが可能な一対の弾性材と、
柄の先端に装着される基端部と、柄の長手方向の延長上で、一対の弾性材の先端側と結合される先端部とを有し、一対の弾性材の基端と先端との間の中間部が幅方向に拡張して、捕集袋の開口部が開く状態で、捕集袋の開口部を幅方向の両側から規制するように、一対の弾性材が開く状態の形状に合う曲線形状を有する先端側部分、および一対の弾性材が閉じる状態で基端側に延びる部分を収容する直線形状を有する基端側部分を有する外枠と、
捕集袋を内側に収容する外袋であって、一対の弾性材によって、捕集袋の開口部の開閉と同時に開閉される開口部を有する外袋とを含む、
ことを特徴とする犬の糞取り用具である。
【手続補正３】
【補正対象書類名】明細書
【補正対象項目名】００１１
【補正方法】変更
【補正の内容】
【００１１】
また本発明は、前記操作材を、前記柄の長手方向の基端側に付勢するばねと、
操作材を、柄の長手方向の先端側に操作した状態で係止する係止部材と、
柄の基端側に設けられ、係止部材による操作材の係止を解除する操作が可能な解除部材とを、
さらに含むことを特徴とする。
【手続補正４】
【補正対象書類名】明細書
【補正対象項目名】００１２
【補正方法】変更
【補正の内容】
【００１２】
また本発明は、前記外袋の両側方の上部で、一対の弾性材の下縁に沿って対応する位置に設けられる複数の磁石を、
さらに含むことを特徴とする。
【手続補正５】
【補正対象書類名】明細書
【補正対象項目名】００１３
【補正方法】変更
【補正の内容】
【００１３】
本発明によれば、柄を片手で保持し、柄の基端から突出する操作材の基端を身体で押えながら、柄を引寄せるような片手の操作で、柄の先端に設ける捕集袋の開口部を開閉する操作を行うことができる。捕集袋の開口部が開く状態で、捕集袋の開口部を幅方向の両側から規制するように、一対の弾性材が開く状態の形状に合う曲線形状を有する先端側部分を有する外枠と一対の弾性材とで、開く状態の捕集袋の荷重を支えることができるので、一対の弾性材は開口部の周縁部を開閉するに必要な強度を有していればよく、開閉に必要な力を小さくすることができる。保持する一対の弾性材の強度は開閉に必要な程度でよいので、散歩に伴う犬が、急に便意を示すような場合でも、散歩の随伴者は、簡単な操作で、容易に糞を採取して処理することが可能となる。
また、外袋で捕集袋を保護したり、周囲の視界から遮って、糞の捕集を連想させないようにすることができるばかりではなく、外袋のデザインでファッション性を持たせることもできる。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
また本発明によれば、捕集袋の開口部の開閉状態を、閉じる方はばねによる付勢で、開く方は係止部材による係止で維持することができ、操作の手間を軽減することができる。
また本発明によれば、捕集袋を閉じる際に、外袋の両側方の対応する位置に設けられる複数の磁石が相互に吸着し、開口部が密着して閉じるようにすることができる。
【手続補正８】
【補正対象書類名】明細書
【補正対象項目名】００３０
【補正方法】削除
【補正の内容】